(57)【要約】  セットトップボックスを分解する方法と装置を開示する。該方法は、トップカバー、ベース、及びトップカバーをベースに固定するためのＶ字またはＵ字形状のカバー保持クリップを含むセットトップボックスを設けるステップと、保持クリップ解放フィンガーを含む解放治具を設けるステップと、解放治具をセットトップボックスに挿入するステップと、保持クリップ解放フィンガーを用いてカバー保持クリップを分解するステップと、トップをベースから取り除くステップとを含む。
2015522219.tif 000002
【特許請求の範囲】
【請求項１】
第１の内面にクリップを有する第１の壁と、
第２の内面にリテーナを有する、前記第２の内面は前記第１の壁の第１の内面に面し、前記第１の内面と第２の内面は内部空間を確定する、第２の壁とを有し、
前記クリップとリテーナは、それぞれ互いに係合され、位置合わせされ、方向付けられ、ロックラバーを有する複数の分離部材により同時に解放されるようになっており、
前記分離部材は各クリップ及びリテーナに対応し、一致して動くように構成された位置決め及び方向付けがなされ、
前記ロックラバーは、前記第１の壁が持ち上げられると、前記第２の壁を支持及び保持するように構成されている、
装置。
【請求項２】
前記複数のクリップ及びリテーナは、前記第１の壁と第２の壁との間の一連のロックを確定する、請求項１に記載の装置。
【請求項３】
前記第１の壁と第２の壁は、前記第１の壁と第２の壁とをロックする複数のクリップ及びリテーナを解放するため、分散された分離部材が入る、開口を有する、
請求項１に記載の装置。
【請求項４】
前記装置は電子装置であり、少なくとも１つの電子コンポーネントが含まれる、
請求項３に記載の装置。
【請求項５】
前記電子装置はセットトップボックスである、請求項４に記載の装置。
【請求項６】
前記第１の壁と第２の壁は、前記第１の壁と第２の壁とをロックする複数のクリップ及びリテーナを解放するため、分散された分離部材が入る、開口を有し、
前記開口は、プレートから伸びる複数の分離部材を有する解放治具が前記クリップ受け部材を同時に解放するように構成されている、
請求項１に記載の装置。
【請求項７】
第１の内面と前記第１の内面から伸びた複数の結合クリップとを有するトップと、
第２の内面と、前記第２の内面から伸びた複数のクリップ受け部材とを有するベースであって、前記クリップ受け部材は前記結合クリップと可逆的に係合し前記トップを前記ベースに固定し、前記ベースはさらにプレートから伸びた複数の分離部材を有する解放治具が前記クリップ受け部材を同時に解放できるように構成された少なくとも１つの開口を含む、ベースと、
前記分離部材は、各クリップ受け部材及び結合クリップと位置決めされたロックラバーを有し、前記分離部材は一致して動くように構成され、
前記ロックラバーは、前記分離部材が前記少なくとも１つの開口に挿入され、前記トップが持ち上げられたとき、前記ベースを支持及び保持するように構成された、
装置。
【請求項８】
前記結合クリップは受け部材に係合した支持部を有する、請求項７に記載の装置。
【請求項９】
前記支持部は前記トップから伸びる内向きに伸びる部分の先端部にある、
請求項８に記載の装置。
【請求項１０】
前記装置は、さらに、
前記クリップ受け部材は、前記内面から伸びた内向きに伸びる部分と、前記内向きに伸びる部分の先端部にある肩とを含み、
前記結合クリップの部分は、前記肩に水平及び垂直にオーバーラップしている、
請求項９に記載の装置。
【請求項１１】
前記クリップ受け部材は、前記ベースから伸び、内向きに伸びる部分の先端部に肩を有し、
前記支持部は、前記支持部の各肩が前記クリップ受け部材の肩を通り過ぎ、各肩が互いにオーバーラップ及び接触し、または互いに近くにあることにより、前記クリップ受け部材にスナップされ、前記トップを前記ベースに固定する、
請求項９に記載の装置。
【請求項１２】
少なくとも１つの支持部は、前記肩の端から伸びる斜面を有し、前記斜面の少なくとも一部は前記肩と鋭角をなす、請求項１１に記載の装置。
【請求項１３】
セットトップボックスを設けるステップと、
分離部材を有する解放治具を設けるステップと、
前記分離部材をトップが前記ベースに接続されたセットトップボックスのベースに位置決めして挿入する、前記トップの結合クリップの支持部が前記ベースのクリップ受け部材と係合して前記トップを前記ベースにロックするステップと、
前記解放治具にまっすぐな力をかけ、前記分離部材を前記ベースの開口中に入れるステップであって、各分離部材のロックラバーは前記ベースの開口に対して詰め込み、それにより前記ベースを前記解放治具に結合し、前記分離部材は、支持部に同時に接触し、前記結合クリップの支持部を水平方向に再度位置づけして、前記支持部を前記クリップ受け部材から解放するステップと、
前記トップを持ち上げ、前記ベースは前記治具上に留まるステップとを有する、
方法。
【請求項１４】
プレートと、
前記プレート上の分離部材とを有し、
前記分離部材はそれぞれ、
前記プレート上のベース部と、
先端部のエジェクタピンヘッドと、前記ベース部と前記エジェクタピンヘッドとの間にある中間コア部と、
前記中間コア部を囲むロックラバーとを有する、
解放治具。
【請求項１５】
前記ロックラバーは、前記プレートに対して垂直方向を向き、前記中間コア部を含む垂直スルーホールを有し、
前記ロックラバーは２つの対向する先細の変形可能なグリップ面を有する、
請求項１４に記載の解放治具。
【発明の詳細な説明】
【背景技術】
【０００１】
セットトップボックスなどの電子装置やデバイスは、複数の壁（ｗａｌｌ）を有する組み立てられた装置であり、複数の壁のうち少なくとも１つは複数のネジで固定されている。残念ながら、こうしたデバイスの内部コンポーネントにアクセスするには、その複数のネジを取り外さなければならず、そのデバイスの取り扱いが大変になることがある。大変な取り扱い（ｅｘｃｅｓｓｉｖｅ  ｈａｎｄｌｉｎｇ）には、デバイスの方向を変えること、例えば、そのデバイスをひっくり返したり、横にしたりして、各ネジを探すようなことが含まれる。そして、デバイスを逆さまにして、または横向きにして、１つずつネジをはずして、デバイスを分解する。デバイスの取り扱いが大変なので、デバイスの各動きにより内部コンポーネントに衝撃を与え、内部コンポーネントを破損するおそれが増大する。また、ネジの取り外し再度絞めることにより、デバイスに傷をつけたり、ネジ山をつぶしてしまうこともある。
【０００２】
電子デバイスの内部コンポーネントに頻繁にアクセスしなければならず、内部コンポーネントへのアクセスによりそれを破損するおそれがあり、または電子デバイスを傷つけるおそれがあることを考慮すると、電子デバイスの構造を改善することや、電子デバイスを速く、簡単に、そして安全に開ける方法が必要とされている。
【０００３】
この必要性を満たすシステムが、特許文献１に開示され、知られている。図１は、特許文献１の装置の、分解した状態の斜視図である。セットトップボックスなどの装置１は、内部空間を確定する外壁と、内面１２及びその内面から突起した複数の結合クリップ３０を有する上部１０と、底部５とを有する筐体を有する。底部５は、内面と、その内面から突起した複数のクリップ受け部材２０とを有する。クリップ受け部材２０は、結合クリップ３０と係合して、上部１０を底部５に固定する。底部５は、さらに少なくとも１つの開口７を含む。少なくとも１つの開口７により、プレート５１から突起した（ｅｘｔｅｎｄｉｎｇ）複数の分離部材（ｄｅｃｏｕｐｌｉｎｇ  ｍｅｍｂｅｒ）４０を有するリリース治具５０が、クリップ受け部材２０を同時に解放（ｄｉｓｅｎｇａｇｅ）できるよう。
【０００４】
特許文献１の装置１をアセンブルする方法は、垂直に力をかけて底部５と上部１０を押すステップと、上部１０の結合クリップ３０を底部５のクリップ受け部材２０と同時にコンタクトするステップと、結合クリップ３０の保持部（ｇｒａｓｐｉｎｇ  ｐｏｒｔｉｏｎｓ）３１を水平方向に再配置（ｒｅｐｏｓｉｔｉｏｎｉｎｇ）するステップと、保持部３１をその水平方向の初期位置に、または中間位置にスナップ（ｓｎａｐ）するステップとを有する。結合クリップ３０の一部と、クリップ受け部材２０の一部とが水平及び垂直方向でオーバーラップしており、これにより上部１０と底部５が分解できる。クリップとクリップ受け部材は、分離部材によりアンロックできるロックと言える。上記方法は、さらに、上記装置を分解するステップを含み、該ステップは：解放ジグを底部５に位置決め（ａｌｉｇｎｉｎｇ）するステップと、解放ジグ５０に線形力をかけて、解放ジグ５０のプレート５１から突起した複数の分離部材４０を、底部５の開口に入れるステップと、分離部材４０を指示部３１に実質的に同時にコンタクトさせるステップと、結合クリップ３０の支持部３１を水平方向で再配置して、支持部３１を解放するステップと、上部１０を持ち上げるステップとを有する。
【０００５】
図１は、特許文献１の装置１が分解された状態を示す。装置１はセットトップボックスなどの電子装置である。装置１は、内部空間を確定する外壁を有する筐体を含む。筐体には、プロセッサ、スマートカードアセンブリ、チューナ、ファン、記憶デバイスなどの様々な電子コンポーネントを収容できる。これらのコンポーネントは、それ自体側壁と底部とを有する内部支持構造６０中で支持されている。外壁は、前壁８、後壁６、複数の側壁４、上部１０、及び底部５である。
【０００６】
底部５は、外面に対向し、上部１０に面している内面１３を有する。底部５は、さらに、内面１３から突起した複数のクリップ受け部材２０を含み、これらは底部５を上部１０に固定するように設計されている。底部５は、さらに、クリップ受け部材２０に関連し、クリップ受け部材２０に隣接したまたは近くにある一連の開口７を含む。
【０００７】
一例では、各クリップ受け部材２０に対して１つの開口がある。しかし、特許文献１の他の例では、１つの開口７が複数のクリップ受け部材２０に関連し、用いられる。
【０００８】
装置１の上部１０は、外面１１と内面１１２とを含む。上部１０は、さらに、底部５のクリップ受け部材２０に係合し、またはスナップ（ｓｎａｐ）するように設計された複数の結合クリップ３０を含む。複数の結合クリップ３０が、上部１０を底部５に有効に固定する。
【０００９】
「スナップする（ｓｎａｐ）」との表現は、結合クリップ３０の一部及び／またはクリップ受け部材２０の一部が柔軟または弾力性があり、底部５と上部１０とを押しつけて垂直方向に力をかけると、どちらかが水平方向に再配置または動き、結合クリップ３０及び／またはクリップ受け部材２０が接触することを意味する。さらに、水平方向の再配置または動きは、接触した時に生じ、結合クリップ３０及び／またはクリップ受け部材２０の一部が力により対向する水平方向に動くにつれて、大きくなる。最終的に、その力により、上部１０と底部５が所定の組み立て状態になる。分離の面に関しては、再配置されたまたは動かされた結合クリップ３０またはクリップ受け部材２０の部分は、最初の水平位置または途中の位置（ｓｏｍｅ  ｉｎｔｅｒｍｅｄｉａｔｅ  ｐｏｓｉｔｉｏｎ）に戻り、結合クリップ３０の一部及び／またはクリップ受け部材２０の一部（例えば、肩（ｓｈｏｕｌｄｅｒ））の水平及び垂直方向のオーバーラップするようになる。結合クリップの一部及び／またはクリップ受け部材の一部の水平方向及び垂直方向のオーバーラップにより、上部１０と底部５が組み立てられ、または固定される。上部１０と底部５は、引き離そうとする垂直方向の対向する力により、非破壊的には、分離することができない。「スナッピング（ｓｎａｐｐｉｎｇ）」は、初期状態に向けた急激なまたは即時の動きを意味すると考えられることが多い。
【００１０】
内部支持構造６０は、開口７にも関連した穴またはスロット９を有し、クリップ受け部材２０用の隙間となる。
【００１１】
図２Ａと図２Ｂは、図１の装置の結合クリップを示す分解図である。図２Ａは、上部１０の内面１２から延在する二本脚結合クリップ３０を示す。各脚は、下向きまたは内向きの伸長部３２の先端部に支持部（ｇｒａｓｐｉｎｇ  ｐｏｒｔｉｏｎ）３１を有する。支持部３１は、肩と、その肩の端から下向きまたは離れる向きに伸び肩と鋭角をなす傾斜面とを有する。傾斜面は、肩と鋭角をなす表面の少なくとも一部でカーブしていてもよい。図２Ａでは、支持部３１の肩は互いに離れる方向に伸びている。
【００１２】
図２Ｂは一本脚結合クリップ３０の一例を示す。脚は、下向きまたは内向きの伸長部３２の先端部に支持部（ｇｒａｓｐｉｎｇ  ｐｏｒｔｉｏｎ）３１を有する。支持部３１も、肩と、その肩の端から下向きにまたは内面１２から離れる方向に伸びた傾斜面とを有する。傾斜面の一部は肩と鋭角をなしてもよい。先端部は上から少なくとも２つの異なる長さに伸びている。支持部３１は、上から少なくとも２つの異なる寸法まで伸び、これにより装置を無理に分解することがより困難になる。
【００１３】
図３は、特許文献１の組み立てられた装置のクリップ受け部材に係合された結合クリップを示す斜視図である。図３は、図２Ａの二本脚結合クリップ３０が、底部５のクリップ受け部材２０にどのように係合するかを示す。クリップ受け部材２０は、底部５から伸び、上向きまたは内向きの伸長部２２の先端部の肩２１とを有する。図３は、底部５に形成された開口７の一例を示す。各開口７は、結合クリップ３０のクリップ受け部材２０との係合に対応する。上向きまたは内向きの伸長部２２の先端部は、クリップ受け部材２０の肩２１が伸びる、底部５から離れたところを指す。クリップ受け部材２０の構造は、肩を通り越して伸びた付加部またはエクステンションを有する。クリップ受け部材２０の先端部は、クリップ受け部材２０の肩２１が伸びる、底部５から離れたところを指す。
【００１４】
図３は、支持部３１の肩がクリップ受け部材２０の肩２１を通り越して、支持部３１がクリップ受け部材２０にスナップ（ｓｎａｐｐｅｄ  ｉｎｔｏ）されたところを示す。肩（ｓｈｏｕｌｄｅｒｓ）はそれぞれオーバーラップして、互いに接触しているか、または互いに近くにあり、それにより上部１０を底部５に固定している。
【００１５】
図３は、前面８が、上部１０と底部５のスロット３に配置されて、組み立て状態になっているところを示す。これは、実施例に上部１０及び／または底部５のスロット３により、壁の一部または全部が所定の位置に留められるものを含む、特許文献１の他の一フィーチャ（ｆｅａｔｕｒｅ）を示している。このフィーチャは、使うネジが少なくても、あるいは全く無くてもよいという点で都合がよい。これが特許文献１の一目的である。
【００１６】
図４は、特許文献１の組み立てられた装置の、結合クリップがクリップ受け部材に係合されたところを示す斜視図である。図４は、図２Ｂの一本脚結合クリップ３０が、底部５のクリップ受け部材２０にどのように係合するかを示す。図４は、底部５に形成され、例示した結合クリップ３０とクリップ受け部材２０の係合に関連する開口７も示す。開口７は、底部５に切り込まれた、または形成されたスロットであってもよい。クリップ受け部材２０は図３に示したものと同様に、結合クリップ３０と係合する。
【００１７】
特許文献１の重要なフィーチャ（ｆｅａｔｕｒｅ）は、結合クリップ３０とクリップ受け部材２０との係合は複数あり、好ましい例では、組み立ての時にその複数の係合が実質的に同時に行われるということである。この表現は、ある係合と他の係合との間に緩み（ｓｌａｃｋ）がある場合を含む。例えば、ある係合での移動の長さは、他の係合での移動の長さより５％長くてもよい。複数の係合が同時であることは、上部１０の底部５に対するねじれや傾きを防止できるという点で都合がよい。特許文献１のさらに別の要素には、装置１には一本脚結合クリップ３０しか含まれないか、または二本脚結合クリップ３０しか含まれないか、または両者の組み合わせが含まれる。
【００１８】
図５は、特許文献１による、組み立てられた装置と解放治具とを示す斜視図である。図５は、装置は、通常操作の方向にしたまま、単純かつ１つのまっすぐな動き７０で１つのツールを用いて、容易に分解できるように設計されているという、特許文献１の他の一要素を示している。ツールは解放治具（ｒｅｌｅａｓｅ  ｆｉｘｔｕｒｅ）５０であり、結合クリップ３０をクリップ受け部材２０から同時に解放（ｄｉｓｅｎｇａｇｅ）する、プレート５１から延在する複数の分離部材（ｄｅｃｏｕｐｌｉｎｇ  ｍｅｍｂｅｒ）４０を有する。複数の分離（ｄｉｓｅｎｇａｇｅｍｅｎｔｓ）を同時にするとのフィーチャは、上部１０の底部５に対するねじれや傾きを防止できるという点で都合がよい。分離部材４０は、それぞれが、開口７と位置が合い（ａｌｉｇｎ）、結合クリップ３０に接触するように設計されている。装置１を分解するには、解放治具５０を平らな面に置く。装置１を解放治具５０と位置合わせして、１つの動きで、装置１を解放治具５０上に置いてそれに向けて押す。この動きにより、図６と図７に示したように、分離部材４０が結合クリップ３０をクリップ受け部材２０から分離する。
【００１９】
図６は、特許文献１による、装置を分解する様々なステップにおけるその装置と解放治具（ｒｅｌｅａｓｅ  ｆｉｘｔｕｒｅ）とを示す断面図である。図６は、図５の１つのまっすぐな動き７０において、二本脚クリップ３０がどのように分離されるかを示している。図６Ａは、分離部材４０を示している。これは上端が平坦なＵ字型デザインで構成され、分離部材４０を開口７に入れて上向きまたは内向きの力５３をかけると支持部３１に接触する。上向きまたは内向きの力５３により、支持部３１が上向きに伸びている部分２２から離れる方向５４にシフトし、支持部３１の肩がクリップ受け部材２０の肩２１をクリアする、または通り過ぎる位置まで、下向きに伸びている部分３２が曲がる、及び／または傾くようになる。
【００２０】
図６Ｂは、支持部３１の肩がクリップ受け部材２０の肩２１をクリアした、または通り過ぎ、分離部材４０が完全に挿入された時の、支持部３１の位置を示している。この点において、上部１０は、図６Ｃに示すように、単に持ち上げるだけで取り外しできる。図６Ｃは、上部１０が持ち上げられ、装置１中のコンポーネントへのアクセスが可能になった時の結合クリップ３０の支持部３１の位置関係（ｐｏｓｉｔｉｏｎｉｎｇ）を示す。
【００２１】
このアセンブリーは、単に、解放治具５０を取り除いて上部１０を底部５上において、上部１０を下に、または底部５に向けて押すだけで、容易に組み立てられる。各結合クリップ３０をクリップ受け部材２０に再度係合できる。
【００２２】
図７は、特許文献１による、装置を分解する様々なステップにおけるその装置と解放治具（ｒｅｌｅａｓｅ  ｆｉｘｔｕｒｅ）とを示す他の断面図である。図７は、図５の１つのまっすぐな動き７０において、一本脚クリップ３０がどのように分離されるかを示している。図７Ａは、肩２１と同じ大きさの幅を有する狭い縁を有する分離部材４０を示す。大きさは、分離部材４０が開口７に入ったときに、狭い縁が支持部３１に接触する程度である。分離部材は、上向きまたは内向きの力５３をかけ、これにより、支持部３１が上向きに伸びている部分２２から離れる方向５４にシフトし、支持部３１の肩がクリップ受け部材２０の肩２１をクリアする、または通り過ぎる位置まで、下向きに伸びている部分３２が曲がる、及び／または傾くようになる。
【００２３】
図７Ｂは、支持部３１の肩がクリップ受け部材２０の肩２１をクリアした、または通り過ぎ、分離部材４０が完全に挿入された時の、一本脚結合クリップ３０の支持部３１の位置を示している。この点において、上部１０は、図７Ｃに示すように、単に持ち上げるだけで取り外しできる。図７Ｃは、上部１０が持ち上げられ、それにより装置１中のコンポーネントへのアクセスが可能になった時の結合クリップ３０の支持部３１の位置関係（ｐｏｓｉｔｉｏｎｉｎｇ）を示す。
【００２４】
特許文献１は、先行技術に対して有利であるが、幾分複雑であり、トップまたは外部カバー１０の水平な内部から下向きに伸びた結合クリップ３０を要する。これは、内部の回路基板その他の内部コンポーネントが、結合クリップ３０とクリップ受け部材２０を収容できるように設計できることを示唆する。
【００２５】
より単純なデザインで、特許文献１の多くの利点を提供するが、よりユニバーサル（ｕｎｉｖｅｒｓａｌ）で、内部コンポーネントが結合クリップとクリップ受け部材とを収容し、ぴったり合うように特に設計しなくてもよいものが必要である。また、セットトップボックスをアンラッチ（ｕｎｌａｔｃｈ）する時に、その上部がセットトップボックスのフレーム及び底部に対して垂直な位置に留まるデザインと、上部が取り外されたときに、セットトップボックスを固定または保持する手段が必要である。
【００２６】
その他の既知の方法は、次のステップを含む：底部と治具の両方に手を添えないと前記底部を取り外せない強力な磁石；前記底部の前記治具への取り付けと取り外しに、ユーザによる第２の動きを要するラッチデバイス；及びカバーに前記底部から離す方向の力をかけるコンプレックススプリング。
【先行技術文献】
【特許文献】
【００２７】
【特許文献１】国際出願公開第２０１０／００８３６０Ａ１号
【発明の概要】
【００２８】
セットトップボックスを分解する方法と装置を開示する。一実施形態において、装置は、内面にクリップ（１０３０）を有する第１の壁（１０１０）と、第２の内面にリテーナ（１０２０）を有する、前記第２の内面は前記第１の壁の第１の内面に面し、前記第１の内面と第２の内面は内部空間を確定する、第２の壁（１００５）とを有し、前記クリップとリテーナは、それぞれ互いに係合され、位置合わせされ、方向付けられ、ロックラバー（８０４）を有する複数の分離部材（８０３）により実質的に同時に解放されるようになっており、各クリップ及びリテーナに対応し、一致して動くように構成された位置決め及び方向付けがなされ、前記ロックラバーは、前記第１の壁が持ち上げられると、前記第２の壁を支持及び保持するように構成されている。該装置は、前記複数のクリップ及びリテーナは、前記第１の壁と第２の壁との間の一連のロックを確定する。上記装置は、セットトップボックスなどの電子装置であり、少なくとも１つの電子コンポーネントを含む。上記装置は、前記第１の壁または第２の壁は、前記第１の壁と第２の壁とをロックする複数のクリップ及びリテーナを解放するため、分散された分離部材が入る、開口を有し、前記開口は、プレート（８０２）から伸びる複数の分離部材を有する解放治具が前記クリップ受け部材を実質的に同時に解放するように構成されている。
【００２９】
他の実施形態による装置（８０１）は、第１の内面と前記第１の内面から伸びた複数の結合クリップ（１０３０）とを有するトップ（１０１０）と、第２の内面と、前記第２の内面から伸びた複数のクリップ受け部材（１０２０）とを有するベースであって、前記クリップ受け部材は前記結合クリップ（１０３０）と可逆的に係合し前記トップを前記ベースに固定し、前記ベースはさらにプレートから伸びた複数の分離部材（８０３）を有する解放治具（８０２）が前記クリップ受け部材を同時に解放できるように構成された少なくとも１つの開口を含む、ベース（１００５）とを有し、前記分離部材（８０３）は前記受け部材及び結合クリップのそれぞれと位置決めされたロックラバー（８０４）を有し、前記ロックラバーは、前記分離部材が前記少なくとも１つの開口に挿入され、前記トップが持ち上げられたとき、前記ベースを支持及び保持するように構成されたている。前記結合クリップは受け部材に係合した支持部（１０３１）を有する。前記支持部は前記トップから伸びる内向きに伸びる部分（１０３２）の先端部にある。上記装置はさらに、前記クリップ受け部材は、前記内面から伸びた内向きに伸びる部分（１０２２）と、前記内向きに伸びる部分の先端部にある肩（１０２１）とを含み、前記結合クリップの部分は、前記肩に水平及び垂直にオーバーラップしている。前記支持部は、前記支持部の各肩が前記クリップ受け部材の肩を通り過ぎ、各肩が互いにオーバーラップ及び接触し、または互いに近くにあることにより、前記クリップ受け部材にスナップされ、前記トップを前記ベースに固定する。また、少なくとも１つの支持部は、前記肩の端から伸びる斜面を有し、前記斜面の少なくとも一部は前記肩と鋭角をなす。
【００３０】
別の一実施形態による方法は、セットトップボックス（８０１）を与えるステップ（１２００）と、分離部材（８０３）を有する解放治具（８０２）を設けるステップ（１２０５）と、前記分離部材をトップ（１０１０）が前記ベース（１００５）に接続されたセットトップボックス（８０１）のベースに位置決めして挿入する、前記トップの結合クリップ（１０３０）の支持部（１０３１）が前記ベースのクリップ受け部材（１０２０）と係合して前記トップを前記ベースにロックするステップ（１２１０）と、前記解放治具にまっすぐな力（ｌｉｎｅａｒ  ｆｏｒｃｅ）（１０７０）をかけ、前記分離部材を前記ベースの開口中に入れるステップであって、各分離部材のロックラバー（８０４）は前記ベースの開口に対して詰め込み、それにより前記ベースを前記解放治具に結合し、前記分離部材は、支持部（１０３１）に同時に接触し、前記結合クリップの支持部を水平方向に再度位置づけして、前記支持部を前記クリップ受け部材から解放するステップ（１２１５）と、前記トップを持ち上げ、前記ベースは前記治具上に留まるステップ（１２２０）とを有する。
【図面の簡単な説明】
【００３１】
以下の添付図面を参照して例として説明した下記の説明を読めば、詳細な理解が得られるだろう。
【図１】特許文献１による装置の分解状態を示す斜視図である。
【図２Ａ】図１に示す装置の結合クリップを示す図である。
【図２Ｂ】図１に示す装置の結合クリップを示す図である。
【図３】特許文献１による組み立てられた装置の、結合クリップクリップが受け部材に係合されたところを示す斜視図である。
【図４】特許文献１による組み立てられた装置の、他の結合クリップがクリップ受け部材に係合されたところを示す斜視図である。
【図５】特許文献１による、組み立てられた装置と解放治具とを示す斜視図である。
【図６】特許文献１による、装置を分解する様々なステップにおけるその装置と解放治具とを示す断面図である。
【図７】特許文献１による、装置を分解する様々なステップにおけるその装置と解放治具とを示す他の断面図である。
【図８】本発明による、組み立てられたセットトップボックス等が解放治具上に置かれたところを示す斜視図である。
【図９】本発明による、分離部材とそのコンポーネントが解放治具上に置かれたところを示す斜視図である。
【図１０】本発明による、セットトップボックス等が解放治具上に完全に置かれ、分解される状態であるところを示す斜視図である。
【図１１】本発明による、セットトップボックス等が解放治具により分解（ｄｉｓａｓｓｅｍｂｌｅ）されたところを示す斜視図である。
【図１２】本発明による、分離治具を用いてセットトップボックスを分解する方法の一例を示すフロー図である。
【発明を実施するための形態】
【００３２】
図８は、組み立てられたセットトップボックス８０１等が解放治具８０２上に置かれた本開示を示す斜視図である。解放治具は、セットトップボックスのトップカバーを持ち上げる時に、セットトップボックスの底部（ｂａｓｅ）を治具（ｆｉｘｔｕｒｅ）上に保持するのを助ける複数の分離部材８０３を含む。特記すべき点として、設計者が多くのロックを用いてセットトップボックスのセキュリティを強化できるように、新規の部材を有する治具上に、他のタイプの（図５に示した従来の分離部材のような）分離部材（ｄｅｃｏｕｐｌｉｎｇ  ｍｅｍｂｅｒｓ）４０が、含まれていても良い。換言すると、底部を留めておく図８の分離部材（ｄｅｃｏｕｐｌｉｎｇ  ｍｅｍｂｅｒ）８０３は少数あればよく、他の結合クリップ３０をアンロックするために従来の部材４０を含んでいてもよい。理想的には、４つの分離部材８０３を用いる。
【００３３】
図９は、解放治具の上面に取り付けられた、ロックラバー８０４を有する分離部材またはエジェクタピン８０３を示す斜視図である。図９Ａは、具体的にロックラバー（ｌｏｃｋ  ｒｕｂｂｅｒ）８０４を示す。これは、上面に対して垂直な方向を向き、２つの対向する先細の側面８０６と２つの対向する先細の変形可能グリップ面（ｄｅｆｏｒｍａｂｌｅ  ｇｒｉｐｐｉｎｇ  ｓｕｒｆａｃｅｓ）により囲まれた垂直なスルーホール８０７を有する。図９Ｂは、エジェクタピンフレーム８０８を示す。これは（１）解放治具（ｒｅｌｅａｓｅ  ｆｉｘｔｕｒｅ）の上面に取り付けられるベース部分８１０と、（２）エジェクタフレームの先端部にあるエジェクタピンヘッド８１１と、（３）ベース部８１０とヘッド８１１との間の中間コア部分８０９とを有する。エジェクタピンヘッド８１１は、トップ面８１２と、そのトップ面８１２から伸びる角度を有する接触面とを含む。中間コア部８０９は、部材８０３の周囲を囲む水平グルーブであり、図９Ｃに示すように、ヘッド８１１の下側肩とベース部分８１０の上側肩の間でロックラバー８０４を受け止めて保持するものである。
【００３４】
図１０Ａと図１０Ｂは、セットトップボックス等が解放治具上に完全に置かれ、分解される状態であるところを示す斜視図である。これは、結合クリップ１０３０のうちの１つの、クリップ受け部材１０２０のうちの１つからのアンロックを示す。結合クリップ１０３０は、トップカバー１０１０の底面または内面から下向きに垂直方向に伸びている。クリップ受け部材１０２０は、ベース１００５から伸び、結合クリップ１０３０に面する肩１０２１を含む、上向きまたは内向きに伸びる部分１０２２を含む。結合クリップ１０３０は、その下向きまたは内向きに伸びる部分１０３２の先端部に、支持部１０３１を有し、これはフレキシブルである。支持部１０３１は、クリップ受け部材１０２０の上向きまたは内向きに伸びる部分１０２２に面し、下向きまたは内向きに伸びる部分１０３２と鋭角をなす下側傾斜面を有する。支持部１０３１は、伸びる部分１０３２から突き出し、下部傾斜面と鋭角をなすレッジ（ｌｅｄｇｅ）を含む。特筆すべき点として、セットトップボックスのロックは、支持部１０３１の上側レッジが肩１０２１に係合してオーバーラップすることにより、可能になる（ｆａｃｉｌｉｔａｔｅｄ）。アンロックは、分離部材がベース１００５の開口に入り、分離部材８０３の角度がついた接触面８１３が、支持部１０３１の下側傾斜面に接触するように、セットトップボックスの開放治具への単純なまっすぐな動き１０７０により可能になる。これにより、支持部を変位させ、支持部１０３２が伸びる部分１０２２から離れる方向に曲がり、支持部１０３１の上側レッジと肩１０２１が係合せず、オーバーラップしないようにする。分離部材８０３の角度を有する接触面８１３と、支持部１０３１の下側斜面とは、類似したまたは同一のスロープを有し、接触時に互いに向き合う。同時に、動き１０７０が終わると、ロックラバー８０４の角度を有する接触面８１３は、ベースの開口を囲むベース８０３のエッジに接触し、それによりロックラバー８０４がエッジに接触する変形または支持領域において、接触面が押し込まれまたは変形される。押し込みまたは変形８１４により、ロックラバー８０４とベース１００５は結合またはロックされる。
【００３５】
図１０Ｂに示したように、ロックラバー８０４とベース１００５は結合またはロックされており、図１１は、トップカバー１０１０が、１つのまっすぐな上向きの解放運動１０７１により、ベース１００５から取り外しできることを示す。ベース１００５は解放治具上に残る。１つのアンロック例のみを図１１に示したが、言うまでもなく、他の分離部材８０３がある場合、同様の動きを同時に行う。
【００３６】
要約すると、開示の分解治具（ｄｉｓａｓｓｅｍｂｌｙ  ｊｉｇｓ）や解放治具（ｒｅｌｅａｓｅ  ｆｉｘｔｕｒｅｓ）により、カバーは取り外されたときに、ベースやフレームの上に残る。しかし、解放治具は、カバーが取り外されている間は、ベースを保持する。これは、そのベースの開口の周りにあるロックカバーに摩擦や押す力が働くので都合がよい。
【００３７】
図１２は、分離治具を用いてセットトップボックスを分解する方法の一例を示すフロー図である。図１２は、分離治具を用いてセットトップボックスを分解する方法の一例を示すフロー図である。図１２に示したように、セットトップボックスを分解する方法は、トップカバー、ベース、及びカバー保持クリップを含むセットトップボックスを用意するステップ（１２００）を含む。この方法は、さらに、ロックラバー８０４を有する保持クリップ解放フィンガー（ｒｅｌｅａｓｅ  ｆｉｎｇｅｒ）（１２０５）を含む解放フィンガーを設けるステップ（１２０５）を含む。この方法は、さらに、解放治具（ｒｅｌｅａｓｅ  ｆｉｘｔｕｒｅ）をセットトップボックスに挿入するステップ（１２１０）を含む。この方法は、さらに、保持クリップ解放フィンガーを用いてカバー保持クリップを分離するステップ（１２１５）を含む。この方法は、さらに、トップカバーをベースから取り除き、同時にそのベースをロックラバーにより治具上に保持するステップ（１２２０）を含む。セットトップボックスを与えるステップ（１２００）の後、この方法は、カバーでなくベースを持ち上げることにより、セットトップボックスを開放治具から持ち上げて、トップカバーをベースに固定し、それによりロックラバーをエッジから取り除くステップを含んでいてもよい。
【００３８】
本発明の実施形態を説明したが、言うまでもなく、これらの実施形態の修正は、本発明の精神と範囲内にある。例えば、本発明のフィーチャは、このクリップを有するセットトップボックスは、カバーをフレームに保持するネジやボルトを有さないということである。幾つかの実施形態では、二以上の方法ステップが異なる順序で、または同時に生じてもよい。ここに開示した方法のバリエーションは、その他のものも含め、ここに説明した方法の説明を考慮して容易に明らかになるだろうし、本発明の範囲内にある。
【図１】
2015522219.tif 000003
【図２（Ａ）】
2015522219.tif 000004
【図２（Ｂ）】
2015522219.tif 000005
【図３】
2015522219.tif 000006
【図４】
2015522219.tif 000007
【図５】
2015522219.tif 000008
【図６（Ａ）】
2015522219.tif 000009
【図６（Ｂ）】
2015522219.tif 000010
【図６（Ｃ）】
2015522219.tif 000011
【図７（Ａ）】
2015522219.tif 000012
【図７（Ｂ）】
2015522219.tif 000013
【図７（Ｃ）】
2015522219.tif 000014
【図８】
2015522219.tif 000015
【図９Ａ】
2015522219.tif 000016
【図９Ｂ】
2015522219.tif 000017
【図９Ｃ】
2015522219.tif 000018
【図１０Ａ】
2015522219.tif 000019
【図１０Ｂ】
2015522219.tif 000020
【図１１】
2015522219.tif 000021
【図１２】
2015522219.tif 000022
【国際調査報告】
2015522219.tif 000023
2015522219.tif 000024
2015522219.tif 000025